(57)【要約】【課題】１つの光学ホルダによって、ディスプレイ上の３Ｄ画像や印刷用紙上の３Ｄ画像の３Ｄ鑑賞を容易にする。【解決手段】３Ｄ鑑賞用光学ホルダ１は、レンチキュラータイプの光学板本体２と、透明板３とで構成されている。光学板本体２は、縦長方向に多数配列した蒲鉾状のレンチキュラーレンズからなる光学フィルタ部２０と、このフィルタ部２０の右側部を除いた周囲をコの字状に覆った透明樹脂性枠２１とを備えている。透明板３は、光学板本体２の裏側に袋状となるように貼り付けられ、光学板本体２と透明板３との間の隙間に、右側部から３Ｄ鑑賞用印刷用紙が挿入可能なように構成する。【選択図】  図１
2004239980.tif 000002
【特許請求の範囲】
【請求項１】
立体視用画像の上に光学フィルタ部を置くことによって、光学的にＬ画像を左目、Ｒ画像を右目に配光して裸眼立体視鑑賞を行う３Ｄ鑑賞用光学板において、
光学板本体の裏側に透明板または透明フィルムを袋状になるように貼り付けて、光学板本体と透明板または透明フィルムとの間の隙間に立体視用画像の印刷された３Ｄ鑑賞用印刷用紙を挿入可能にしたことを特徴とする３Ｄ鑑賞用光学ホルダ。
【請求項２】
前記光学板本体の上下部を横方向に沿って光学フィルタ部のない透明部とした請求項１記載の３Ｄ鑑賞用光学ホルダ。
【請求項３】
前記光学板本体の上下部に、３Ｄ観察用の基準となる立体視用基準画像の印刷部を形成した請求項１又は２記載の３Ｄ鑑賞用光学ホルダ。
【発明の詳細な説明】
【０００１】
【発明の属する技術分野】
この発明は、立体視用画像（以下、３Ｄ画像）の上に置くことによって裸眼により３Ｄ鑑賞を可能にする３Ｄ鑑賞用光学ホルダに関する。
【０００２】
【従来の技術】
３Ｄ鑑賞用光学板としては、従来から、レンチキュラータイプ、偏向タイプ、バリアータイプ等のものが実用化されている。これらの光学板は、視差を有する複数の画像に基づいて作成した３Ｄ画像の上に載置することで、光学的屈折により、右目に右画像部、左目に左画像部をそれぞれ配光させる光学フィルタとして機能する。
【０００３】
従来、この３Ｄ鑑賞用光学板としては、３Ｄ鑑賞用印刷用紙上に配置されるレンチキュラータイプ板（たとえば、特許文献１参照）や、３Ｄ画像の表示されている液晶モニタ等のフラットディスプレイに配置可能なバリアータイプ光学板等が提案されている（たとえば、参考文献２）。
【０００４】
【特許文献１】
特開平１１−１０９２８７号公報
【０００５】
【特許文献２】
特公表２００１−５０６４３５号公報
【０００６】
【発明が解決しようとする課題】
しかしながら、従来の３Ｄ鑑賞用光学板は、いずれも３Ｄ鑑賞用印刷用紙専用のものであったり、液晶モニター等のフラット型ディスプレイ専用のものであった。また、ディスプレイ用の光学板はディスプレイに固定されているため、ディスプレイに２Ｄ画像を表示出来ない不具合があった。
【０００７】
このため、３Ｄ画像を通常のパーソナルコンピュータ（ＰＣ）のディスプレイ上に表示させたり、３Ｄ鑑賞用印刷用紙を普及させたりすることに限界があった。
【０００８】
この発明の目的は、１つの光学ホルダによって、ディスプレイ上の３Ｄ画像や印刷用紙上の３Ｄ画像の３Ｄ鑑賞を容易にすることを目的とする。
【０００９】
【課題を解決するための手段】
この発明は、立体視用画像の上に光学フィルタ部を置くことによって、光学的にＬ画像を左目、Ｒ画像を右目に配光して裸眼立体視鑑賞を行う３Ｄ鑑賞用光学板において、
光学板本体の裏側に透明板または透明フィルムを袋状になるように貼り付けて、光学板本体と透明板または透明フィルムとの間の隙間に立体視用画像の印刷された３Ｄ鑑賞用印刷用紙を挿入可能にしたことを特徴とする。
【００１０】
この発明の３Ｄ鑑賞用光学ホルダは、そのままディスプレイ上に置けば、ディスプレイに３Ｄ画像を表示した時に簡単に３Ｄ鑑賞を行うことができる。また、光学板本体と透明板又は透明フィルムとの間の隙間に３Ｄ鑑賞用印刷用紙を挿入した時には、その印刷用紙に印刷されている３Ｄ画像の３Ｄ鑑賞を簡単に行うことができる。このように、１つの光学ホルダで、ディスプレイ上の３Ｄ鑑賞と印刷用紙上の３Ｄ鑑賞とを簡単に行うことができる。
【００１１】
また、この発明の３Ｄ鑑賞用光学ホルダは、光学板本体の上下部を横方向に沿って光学フィルタ部のない透明部としている。通常、汎用のＰＣに使われるＯＳでは、ディスプレイの上部又は下部に「メニュー」や「タブ」等を表示することが多いために、この上下部に光学フィルタ部を置くと、それらの表示を正常に見ることができなくなる。また、ＰＣディスプレイ上で３Ｄ画像を表示する時には、上記「メニュー」や「タブ」の領域を使うことがないために、この部分に光学フィルタ部を置かなくても特に問題を生じることはない。
【００１２】
この発明の３Ｄ鑑賞用光学ホルダは、さらに、光学板本体の上下部に、３Ｄ観察用の基準となる立体視用基準画像の印刷部を形成したことを特徴とする。
【００１３】
この発明の３Ｄ鑑賞用光学ホルダを、３Ｄ画像の表示されているディスプレイ上に単に置いただけでは３Ｄ鑑賞を正しく行うことは保証できない。すなわち、光学フィルタ部のピッチとディスプレイ上の表示ピッチとが合っていたとしても、両者の位置合わせがうまくいってない場合には、３Ｄ鑑賞ができないことになる。そこで、光学板本体の上下部に基準となる立体視用基準画像の印刷部を形成する。この印刷部は光学フィルタ部に対する位置合わせが正確になされているために、鑑賞者は、ディスプレイ上の３Ｄ画像又は印刷用紙上の３Ｄ画像が、この基準画像のように正しく３Ｄ鑑賞できるような位置に、ディスプレイ上のホルダの位置を微調整したり、あるいは、光学板本体と透明板又は透明フィルムとの間に挿入されている３Ｄ鑑賞用印刷用紙の挿入位置を微調整する。
【００１４】
なお、この発明の３Ｄ鑑賞用光学ホルダでは、光学フィルタ部を構成するレンズ（レンチキュラータイプでは蒲鉾状のレンチキュラーレンズ（シリンドリカルレンズ））やスリット（バリアータイプ）を縦長状に横方向に特定のピッチで配列しているために、この光学フィルタ部をディスプレイ上に正しく位置合わせしたり、３Ｄ鑑賞用印刷用紙を正しく挿入できるようにするためには、光学板本体の上下に上記基準画像印刷部を形成するのが好ましい。すなわち、この上下の位置において、基準となる３Ｄ画像と、ディスプレイ上又は３Ｄ鑑賞用印刷用紙上の３Ｄ画像とを対比して、ディスプレイ上又は印刷用紙上の３Ｄ画像が基準３Ｄ画像と同じように３Ｄ鑑賞できれば、他の領域においても正しく位置合わせされて３Ｄ鑑賞できるようになる。また、この比較を容易にするために、基準３Ｄ画像印刷部のディスプレイ上又は３Ｄ立体視用印刷用紙上の直下又は直上で横方向に同じ位置に、その基準３Ｄ画像印刷部と同じ画像が表示されようにするのが望ましい。
【００１５】
【発明の実施の形態】
図１は、この発明の実施形態である３Ｄ鑑賞用光学ホルダの構成図である。同図（Ａ）は正面図、同図（Ｂ）は側面図である。
【００１６】
本実施形態の３Ｄ鑑賞用光学ホルダ１は、レンチキュラータイプの光学板本体２と、透明板３とで構成されている。光学板本体２は、縦長方向に多数配列した蒲鉾状のレンチキュラーレンズからなる光学フィルタ部２０と、このフィルタ部２０の右側部を除いた周囲をコの字状に覆った透明樹脂性枠２１とを備えている。透明板３は、光学板本体２の裏側に袋状となるように貼り付けられ、光学板本体２と透明板３との間の隙間に、右側部から３Ｄ鑑賞用印刷用紙が挿入可能なように構成する。同図に示す３Ｄ鑑賞用光学ホルダ１は、１５インチの液晶ディスプレイ（ＬＣＤ）の横半分の寸法（縦全長２２９ｍｍ、横約１５２ｍｍ）の大きさに設定されている。
【００１７】
透明樹脂性枠２１には蒲鉾状レンズが形成されておらず、また、その一部の領域２２には任意の情報が印刷出来るようになっている。
【００１８】
また、光学板本体２の左上隅部及び左下隅部には、３Ｄ基準画像印刷部２３が形成されている。この３Ｄ基準画像印刷部２３は、３Ｄ観察用の基準となる３Ｄ画像が印刷されている領域であり、この光学ホルダを正視した時に正しく３Ｄ鑑賞できるようにレンチキュラーレンズと位置合わせされている。なお、３Ｄ基準画像印刷部２３はレンチキュラーレンズで覆われているため３Ｄ鑑賞できる。また、透明板３の周囲には、透明微粘着剤３０が形成されている。この透明微粘着剤３０は、この光学ホルダをＬＣＤ上に置いた時にＬＣＤ表示面に光学ホルダを軽く固定する機能を持っている。
【００１９】
図２は、液晶ディスプレイ上又は３Ｄ鑑賞用印刷用紙上に形成される３Ｄ画像が４眼画像である時のレンチキュラーレンズのレンズピッチを示している。この画像に対しては４眼用レンチキュラーレンズが使用される。
【００２０】
画像４０には、３Ｄ鑑賞時の１画素が４眼ピクセルで構成されるものを使用する。また、各ピクセルはＲＧＢの画像で構成されている。このような場合、レンズ５０のピッチは、４／３ピクセル長であり、３Ｄ鑑賞者には、鑑賞位置により、▲１▼と▲２▼、又は▲２▼と▲３▼、又は▲３▼と▲４▼の２眼ペアのどれかの画像が鑑賞者の左と右の眼に入る。なお、１５インチの液晶ディスプレイの場合、ＲＧＢの１画素が０．２９７ｍｍである。そこで、この光学ホルダを１５インチ液晶ディスプレイに対応するものとした場合、レンズ５０のピッチは、０．２９７×４／３＝０．３９６ｍｍに設定する。また、３Ｄ鑑賞用印刷用紙上の画像４０の（１〜４）眼用ピクセル長を液晶ディスプレイの１画素ピッチと同じ０．２９７に設定する。このようにすれば、光学ホルダ１を液晶ディスプレイ上に正しく位置合わせした状態で、又は光学ホルダ１内に３Ｄ鑑賞用印刷用紙を正しく位置合わせして挿入した時に、非常に自然な感じで連続的に３Ｄ鑑賞を行うことができる。
【００２１】
なお、図２のように、レンズ５０のピッチを４／３ピクセルとして、鑑賞者の左右の眼に、▲１▼▲２▼、▲２▼▲３▼又は▲３▼▲４▼のステレオ画像が配付するような方式をＲＧＢクロスタイプと称する。この方式によれば、画像に対して左右の眼を移動していくことによって３Ｄ画像が連続することになるため、立体視を鑑賞するという点では理想的である。
【００２２】
図３は、液晶ディスプレイ上又は３Ｄ鑑賞用印刷用紙上に形成される３Ｄ画像が２眼画像である時のレンチキュラーレンズのレンズピッチを示している。この画像に対しては２眼用レンチキュラーレンズが使用される。
【００２３】
画像４０には、３Ｄ鑑賞時の１画素が２眼ピクセル（左列ピクセルと右列ピクセル）で構成されるものを使用する。レンズ５０のピッチは、この左列ピクセルと右列ピクセルの２つのピクセルを合わせた長さに設定される。したがって、液晶ディスプレイとして１５インチの大きさのものを使用する場合、ＲＧＢ１画素ピッチは０．２９７ｍｍであるから、レンズ５０のピッチは０．２９７×２＝０．５９４ｍｍとなる。これにより、たとえば、１組目の左１列ピクセルのＲＧＢ画素が鑑賞者の左眼に入り、右２列ピクセルのＲＧＢ画素が鑑賞者の右眼に入る。この方式は、レンズ５０のピッチと画像４０の左右ピクセル長とが一致しているために、ＲＧＢストレートタイプと称する。この方式の３Ｄ鑑賞は、鑑賞位置によっては２組目の左右画像が眼に入るために、図２に示す４眼用のレンチキュラーレンズを使用した場合に比べて３Ｄ鑑賞が若干不自然となることがある。
【００２４】
なお、光学フィルタ部をバリアタイプとする場合は、レンチキュラーレンズに代えて、短冊状の黒いストライプを配置した構造とする。この場合、黒いストライプ間のスリット間隔は、画像４０又は液晶ディスプレイのＲＧＢ１画素ピッチに等しく設定される。
【００２５】
図４は、１５インチ液晶ディスプレイ上に３Ｄ鑑賞用光学ホルダ１を置いた時の状態を示している。
【００２６】
この３Ｄ鑑賞用光学ホルダ１は、縦２２９ｍｍ、縦約１５２ｍｍの大きさで、１５インチ液晶ディスプレイ８に対して、横方向の長さは半分に設定されている。この３Ｄ鑑賞用光学ホルダ１を、液晶ディスプレイ８の左半分の表示面に載置することによって、画面左側に表示される３Ｄ画像を３Ｄ鑑賞することができる。図５は、上記３Ｄ鑑賞用光学ホルダ１を液晶ディスプレイ８上に２つ並べた時の状態を示している。このように２つ使用することによって、液晶ディスプレイ表示面全体における３Ｄ鑑賞を行うことが可能になる。
【００２７】
また、図６は、上記３Ｄ鑑賞用光学ホルダ１に、３Ｄ画像の印刷されている用紙１０を挿入する時の状態を示している。
【００２８】
このように、上記３Ｄ鑑賞用光学ホルダ１を液晶ディスプレイ８上において３Ｄ鑑賞を行うことができるとともに、図６のように用紙１０を挿入して３Ｄ鑑賞を行うこともできる。
【００２９】
なお、図４〜図６においてホルダ１と液晶ディスプレイ８との位置合わせ、及びホルダ１と用紙１０との位置合わせを正確に行うことが必要である。そこで、ホルダ１の左上隅分及び左下隅部に形成されている３Ｄ基準画像印刷部２３を参照して位置合わせを行う。すなわち、この３Ｄ基準画像印刷部２３の印刷画像は、ホルダ作成時にレンチキュラーレンズとの間で正確に位置合わせされているために、いつも最も望ましい３Ｄ鑑賞を行うことができる。そこで、鑑賞しようとする画像が、この３Ｄ基準画像印刷部２３で鑑賞される３Ｄ画像と同じようになるように、液晶ディスプレイ８又は用紙１０との位置合わせを行う。具体的には、この３Ｄ基準画像印刷部２３に近い領域の画像が、同３Ｄ基準画像印刷部２３と同じような品質の３Ｄ鑑賞となるように位置合わせを行う。なお、液晶ディスプレイ８上にホルダ１を配置する時には、このホルダ１自体を微調整することによって位置合わせを行い、ホルダ１内に用紙１０を挿入する時には、この用紙１０の位置を微調整することによって位置合わせする。
【００３０】
さらに、位置合わせを容易にするために、図４に示すように液晶ディスプレイ８上に、光学ホルダ１の３Ｄ基準画像印刷部２３の印刷画像と同じ画像を、同印刷部２３の直下及び直上の領域９に形成する。このようにすれば、領域２３と９で鑑賞できる３Ｄ画像は同じであるために、領域９での鑑賞画像の品質が３Ｄ基準画像印刷部２３の鑑賞３Ｄ画像と同じとなるようにすれば良いから、微調整が容易となる。また、図６に示すように、用紙１０を挿入する時には、この用紙１０の左上及び左下の領域９に、３Ｄ基準画像印刷部２３と同じ画像を印刷しておく。この場合も、領域２３と領域９での３Ｄ画像の比較がし易くなるため、用紙１０の位置合わせが容易となる。
【００３１】
なお、図４又は図５に示すように、光学ホルダ３を液晶ディスプレイ８上に置いた時には、光学板本体２の上下部に形成されている透明部２１が、液晶ディスプレイ８上に表示されているメニューやタブ等の表示部に対応する位置関係となる。このため、それらのメニューやタブ等の文字表示を正しく視認することができる。
【００３２】
図４においては、領域９を領域２３の直下及び直上に配置しているが、領域９を領域２３の横（図では右側）に配置するようにしても良い。このようにすれば、３Ｄ表示領域を広くとることが出来る。また、領域２３は、光学ホルダ１の上下部の任意の位置に配置することが可能であり、図４のように左端部に限らず、中央部や右端部に配置することも可能である。
【００３３】
【発明の効果】
この発明の３Ｄ鑑賞用光学ホルダによれば、１つのホルダで液晶ディスプレイ上に表示される３Ｄ画像も、用紙上に印刷される３Ｄ画像も鑑賞することができる。
【００３４】
また、光学板本体の上下部を横方向に沿って透明部とすることによって、液晶ディスプレイ上に表示されるメニューやタブ等の文字を正しく視認することができる。
【００３５】
また、光学板本体の上下部に、３Ｄ鑑賞用の基準となる３Ｄ画像印刷部を形成することによって、３Ｄ鑑賞を行う際の位置合わせが容易になる。
【図面の簡単な説明】
【図１】この発明の実施形態である３Ｄ鑑賞用光学ホルダの構造図
【図２】４眼用レンチキュラーレンズを使用する時のレンズと３Ｄ画像とのピッチ関係を示す図
【図３】２眼用レンチキュラーレンズを使用する時のレンズと３Ｄ画像とのピッチ関係を示す図
【図４】液晶ディスプレイ上に３Ｄ鑑賞用光学ホルダを１枚置いた時の状態を示す。
【図５】液晶ディスプレイ上に３Ｄ鑑賞用光学ホルダを２枚置いた時の状態を示す。
【図６】３Ｄ鑑賞用光学ホルダに３Ｄ画像の印刷された印刷用紙１０を挿入する時の状態を示す図。
【図１】
2004239980.tif 000003
【図２】
2004239980.tif 000004
【図３】
2004239980.tif 000005
【図４】
2004239980.tif 000006
【図５】
2004239980.tif 000007
【図６】
2004239980.tif 000008